(57)【要約】【課題】全身浴、半身浴、寝浴のいずれの場合でも安全かつ安定した姿勢で入浴することができるとともに、腰受け部に洗浄水がたまったりすることがない浴槽を提供することを目的としている。【解決手段】浴槽の底面から段状に高くなった腰受け部を浴槽内壁面の一部に沿って少なくとも1つ形成されている浴槽において、前記腰受け部は、腰受面の幅方向中央部が、浴槽中央方向に向かって上り勾配に形成され、前記腰受面の幅方向両側が浴槽中央方向に向かって下り勾配に形成されていることを特徴としている。【選択図】      図５
2006334387.tif 000002
【特許請求の範囲】
【請求項１】
浴槽の底面から段状に高くなった腰受け部を浴槽内壁面の一部に沿って少なくとも1つ形成されている浴槽において、前記腰受け部は、腰受面の幅方向中央部が、浴槽中央方向に向かって上り勾配に形成され、前記腰受面の幅方向両側が浴槽中央方向に向かって下り勾配に形成されていることを特徴とする浴槽。
【請求項２】
腰受け部が浴槽の長手方向の一方に1つ形成されていて、浴槽の長手方向の他方の浴槽内壁面は、下端部が浴槽底面から急勾配で立ち上がり、上端部が緩勾配となっている請求項1に記載の浴槽。
【請求項３】
浴槽の長手方向の一方に中央底面より段状に高くなった略平面状をした第１の腰受け部が設けられ、浴槽の長手方向の他方に中央底面より段状に高くなるとともに、前記第１の腰受け部より高い位置に設けられた第２の腰受け部とを備えるとともに、前記第２の腰受け部が設けられた側の浴槽内壁面は、その下端部が第２の腰受け部端縁から急勾配で立ち上がり、上端部が緩勾配となっている請求項１に記載の浴槽。
【請求項４】
浴室洗い場側に配置される浴槽長辺側の浴槽上端縁は、腰受け部非形成の浴槽底面に臨む部分が他の部分より低くなっている請求項１〜請求項３のいずれかに記載の浴槽。
【発明の詳細な説明】
【技術分野】
【０００１】
本発明は、全身浴、半身浴、寝浴を安全かつ容易に楽しめる浴槽に関する。
【背景技術】
【０００２】
図９に示すように、浴槽１００の底面１１０より段状に高くなった腰受け部１２０、１３０を備え、浴槽底面に腰を下ろした場合には、全身浴ができ、腰受け部１２０、１３０に腰を下ろした場合には、半身浴が楽しめるようにした浴槽１００が既に提案されている(たとえば、特許文献１参照)。
また、１方の浴槽壁面を５０°〜６０°の背もたれ角となるような傾斜面にして、全身浴だけでなく、寝浴を楽しめるようにした浴槽も提案されている（たとえば、特許文献２参照）。
【０００３】
ところで、上記のような腰受け部を備えた浴槽の場合、浴槽内の清掃時に洗い水が腰受け部上に残らないように、腰受け部１２０、１３０の上面、すなわち、腰受け面は、ほぼ水平か、少し浴槽中央方向に向かって下り勾配に形成されている。
しかしながら、腰受け面が上記のように水平あるいは浴槽中央側に向かって下り勾配に形成されていると、腰受け部に座った場合、不安定で長時間安定して半身浴を楽しむことができない。
【０００４】
【特許文献１】特開２００３−２３０４９４号公報
【特許文献１】特開２００４−１８７８９８号公報
【発明の開示】
【発明が解決しようとする課題】
【０００５】
本発明は、上記事情に鑑みて、全身浴、半身浴、寝浴のいずれの場合でも安全かつ安定した姿勢で入浴することができるとともに、腰受け部に洗浄水がたまったりすることがない浴槽を提供することを目的としている。
【課題を解決するための手段】
【０００６】
上記目的を達成するために、本発明の請求項１に記載の浴槽（以下、「請求項１の浴槽」と記す）は、浴槽の底面から段状に高くなった腰受け部を浴槽内壁面の一部に沿って少なくとも1つ形成されている浴槽において、前記腰受け部は、腰受面の幅方向中央部が、浴槽中央方向に向かって上り勾配に形成され、前記腰受面の幅方向両側が浴槽中央方向に向かって下り勾配に形成されていることを特徴としている。
【０００７】
本発明の請求項２に記載の浴槽（以下、「請求項２の浴槽」と記す）は、請求項１の浴槽において、腰受け部が浴槽の長手方向の一方に1つ形成されていて、浴槽の長手方向の他方の浴槽内壁面は、下端部が浴槽底面から急勾配で立ち上がり、上端部が緩勾配となっていることを特徴としている。
【０００８】
本発明の請求項３に記載の浴槽（以下、「請求項３の浴槽」と記す）は、請求項１の浴槽において、浴槽の長手方向の一方に中央底面より段状に高くなった略平面状をした第１の腰受け部が設けられ、浴槽の長手方向の他方に中央底面より段状に高くなるとともに、前記第１の腰受け部より高い位置に設けられた第２の腰受け部とを備えるとともに、前記第２の腰受け部が設けられた側の浴槽内壁面は、その下端部が第２の腰受け部端縁から急勾配で立ち上がり、上端部が緩勾配となっていることを特徴としている。
【０００９】
本発明の請求項４に記載の浴槽（以下、「請求項４の浴槽」と記す）は、請求項１〜請求項３のいずれかの浴槽において、浴室洗い場側に配置される浴槽長辺側の浴槽上端縁は、腰受け部非形成の浴槽底面に臨む部分が他の部分より低くなっていることを特徴としている。
【００１０】
本発明において、腰受け部の高さは、浴槽の深さによって適宜決定されるが、標準的な成人が腰を下ろした姿勢で全身浴できる高さとすることが好ましい。
また、請求項３の浴槽において、第２の腰受け部の高さは、浴槽の深さによって適宜決定されるが、標準的な成人が腰を下ろした姿勢で半身浴できる高さとすることが好ましい。具体的には、浴槽の上縁から腰受け部までの距離が３０〜４０ｃｍ程度が好ましい。
【００１１】
第１の腰受け部と第２の腰受け部との間隔、すなわち、中央底面の浴槽長手方向の長さは、特に限定されないが、４０ｃｍ程度が好ましい。
【００１２】
本発明の浴槽は、特に限定されず、繊維強化プラスチック製品、ステンレス鋼製品、ホーロー製品などが挙げられる。
【発明の効果】
【００１３】
本発明にかかる浴槽は、腰受け部の腰受面の幅方向中央部が、浴槽中央方向に向かって上り勾配に形成され、前記腰受面の幅方向両側が浴槽中央方向に向かって下り勾配に形成されているので、腰受け面に浅く腰掛けた場合でも臀部が滑りにくく、安定した寝浴状態等を維持できる。そして、幅方向の両側が前記中央底面側に向かって下り勾配に形成されているので、浴槽内の湯や水を排水したときや、洗浄水が腰受け部の腰受け面に溜まらない。
【００１４】
請求項２の浴槽は、腰受け部が浴槽の長手方向の一方に1つ形成されていて、浴槽の長手方向の他方の浴槽内壁面は、下端部が浴槽底面から急勾配で立ち上がり、上端部が緩勾配となっているので、上記発明によれば、段差部に腰掛けると半身浴入浴が可能で、段差に相対する上部の緩勾配背もたれに載せた背中を載せた姿勢では、身長の高い入浴者でも肩まで十分につかる寝浴とすることができる。また、下部の急勾配の背もたれに深く腰掛けることで通常の身長の入浴者では立ち上がった姿勢での深い従来型通常浴とすることができる。また、身長が低い入浴者の場合は腰受け部が、体の滑り込みを防止するための脚置きとして機能することで姿勢保持が可能である。
【００１５】
請求項３の浴槽は、浴槽の長手方向の一方に中央底面より段状に高くなった略平面状をした第１の腰受け部が設けられ、浴槽の長手方向の他方に中央底面より段状に高くなるとともに、前記第１の腰受け部より高い位置に設けられた第２の腰受け部とを備えるとともに、前記第２の腰受け部が設けられた側の浴槽内壁面は、その下端部が第２の腰受け部端縁から急勾配で立ち上がり、上端部が緩勾配となっているので、第１の腰受け部に腰を掛けた状態で入浴すれば、全身浴を行うことができるとともに、第２の腰受け部に深く腰をかけた場合には半身浴入浴が可能で、第２の腰受け部の中央部から中央底面よりに浅く腰をかけ、浴槽内壁の緩勾配部分に背中を載せた姿勢とすると、安定した姿勢で寝浴を楽しめる。
また、中央底面より段状に高くなっている第１の腰受け部および第２の腰受け部が、入浴者が全身浴、半身浴姿勢をとった状態で、第１の腰受け部あるいは第２の腰受け部の立ち上がり面あるいは端縁に足裏を当てることによって姿勢を保持でき、身長が低い入浴者の場合も、中央底面側に身体が滑り込んだりすることがなく安全である。
【００１６】
請求項４の浴槽は、浴室洗い場側に配置される浴槽長辺側の浴槽上端縁は、腰受け部非形成の浴槽底面に臨む部分が他の部分より低くなっているので、この低くなった部分をまたぎ位置とすることによって、浴槽の縁が跨ぎやすくなるとともに、腰受け部やに足がかかって、姿勢を崩したりする事故を防止することができる。
【発明を実施するための最良の形態】
【００１７】
以下に、本発明を、その実施の形態をあらわす図面を参照しつつ詳しく説明する。
図１〜図４は、本発明にかかる浴槽の１つの実施の形態をあらわしている。
【００１８】
図１に示すように、この浴槽１は、外形が略矩形をしていて、短手方向の中心軸を挟んで左右対称形状に形成されている。
浴槽１内には、図１〜図４に示すように、長手方向の一方に中央底面２より段状に約５０ｍｍ高くなった（框上縁の最下点からの深さが５００ｍｍ〜５５０ｍｍ程度）第１の腰受け部３が設けられ、長手方向の他方に中央底面２より段状に高くなるとともに、第１の腰受け部３より約５０ｍｍ高い位置に設けられた第２の腰受け部４が設けられている。
【００１９】
第２の腰受け部４が設けられた側の浴槽内壁面５は、その下端部５１が第２の腰受け部４端縁から８０°前後の急勾配で立ち上がるとともに、上端部５２が５０〜６０°程度の緩勾配となっている。
【００２０】
第２の腰受け部４は、浴槽１の幅方向中央部が中央底面２側に向かって約５°程度の上り勾配に形成され、幅方向の両側が中央底面２側に向かって約２°程度の下り勾配に形成されている。したがって、第２の腰受け部４の中央部付近に載った湯や水は図１に矢印で示すように、浴槽内壁面５側に向かって流れ、浴槽内壁面５側で左右に分かれ、第２の腰受け部４の両側縁に沿って矢印に示すように、中央底面２側に流れ、中央底面２に設けられた排水孔から排水されるようになっている。また、第２の腰受け部４の浴槽内壁面５とのコーナー部から中央底面５側の端縁までの長さは４５０ｍｍ±５０ｍｍ程度となっている。
【００２１】
第１の腰受け部３は、中央底面２に向かって極緩い下り勾配となっていて、浴槽内壁面から第１の腰受け部３の中央底面２側端縁までの長さは３００ｍｍ±５０ｍｍ程度となっている。
【００２２】
中央底面２の浴槽長手方向の長さは４００ｍｍ±５０ｍｍ程度となっている。
また、図２に示すように、浴槽１の長辺側の浴槽上端縁６は、中央底面２に臨む部分６１が他の部分より低くなっている。
【００２３】
この浴槽１は、上記のようになっており、図２に示すように、入浴者７が第１の腰受け部３に座ると、通常の全身浴を行うことができる。
図３に示すように、入浴者７が背中を浴槽内壁面５の下端部５１にほぼ受けさせるように第２の腰受け部４に深く腰掛けると、半身浴を行うことができる。また、このとき、足裏を第１の腰受け部３の中央底面２からの立ち上がり面に受けさせるようにすれば、子供等の身長の低い人でも安定して全身浴を行うことができる。
【００２４】
図４に示すように、入浴者７が第２の腰受け部４に浅く腰掛けるとともに、背中を浴槽内壁面５の下端部５１にほぼ受けさせると、寝浴を楽しむことができる。
【００２５】
以上のように、この浴槽１は、上記のように、全身浴、半身浴、寝浴のいずれの場合でも安全かつ安定した姿勢で入浴することができる。
また、浴槽上端縁６は、中央底面２に臨む部分６１が他の部分より低くなっているので、この低くなった部分６１が中央底面２の位置の目印となり、この部分６１をまたぎ位置とすることによって、浴槽１の縁が跨ぎやすくなるとともに、第１の腰受け部３や第２の腰受け部４に足がかかって、姿勢を崩したりする事故を防止することができる。
【００２６】
さらに、この浴槽１は、左右対称に形成されているので、浴槽１の金型に左右勝手がない。したがって、左右非対称の浴槽に比して部材の共用化が図れ、生産コストを低減することができる。
【００２７】
図５〜図８は本発明にかかる浴槽の他の実施の形態をあらわしている。
図５に示すように、この浴槽１ａは、腰受け部４ａが浴槽１ａの長手方向の一側にのみ形成されていて、腰受け部４ａが設けられていない浴槽１ａの長手方向の他側の浴槽内壁面５ａは、下端部５５が底面２ａに対して８０°前後の急勾配で立ち上がるとともに、上端部５６が５０〜６０°程度の緩勾配となっている以外は、上記の浴槽１と同様になっている。
【００２８】
そして、この浴槽１ａは上記のようになっており、図６に示すように、入浴者７が浴槽内壁面５ａの下端部５５に背中ほぼ受けさせるように腰受け部４ａが設けられていない浴槽１ａの底面２ａに腰掛けると、通常の全身浴を行うことができる。また、このとき、足裏を腰受け部３ａの底面２ａからの立ち上がり面に受けさせるようにすれば、子供等の身長の低い人でも安定して全身浴を行うことができる。
【００２９】
図７に示すように、入浴者７が背中を浴槽内壁面５ａの上端部５６にほぼ受けさせるようにすると、身長の高い入浴者でも肩まで十分につかる寝浴とすることができる。
【００３０】
図８に示すように、入浴者７が腰受け部４ａに腰掛けるようにすれば、半身浴を楽しむことができる。
【００３１】
本発明にかかる浴槽は、上記の実施の形態に限定されない。たとえば、上記の実施の形態では、底面浴槽上縁部の中央底面に臨む部分の高さを他の部分より低くすることによって中央底面への跨ぎ込み位置を視認できるようにしているが、底面浴槽上縁部の中央底面に臨む部分の色を他の部分と変えるなど他の方法を用いるようにしても構わない。
【図面の簡単な説明】
【００３２】
【図１】本発明にかかる浴槽の１つの実施の形態をあらわす上方からみた斜視図である。
【図２】図１の浴槽の通常の全身浴状態を説明する断面図である。
【図３】図１の浴槽の半身浴状態を説明する断面図である。
【図４】図１の浴槽の寝浴状態を説明する断面図である。
【図５】本発明にかかる浴槽の他の実施の形態をあらわす上方からみた斜視図である。
【図６】図５の浴槽の通常の全身浴状態を説明する断面図である。
【図７】図５の浴槽の寝浴状態を説明する断面図である。
【図８】図５の浴槽の半身浴状態を説明する断面図である。
【図９】公知の浴槽の平面図である。
【符号の説明】
【００３３】
１，１ａ  浴槽
２  中央底面
２ａ  底面
３  第１の腰受け部
４  第２の腰受け部
４ａ  腰受け部
５  浴槽内壁面
５１，５５  下端部
５２，５６  上端部
６  浴槽上端縁
６１  中央底面２に臨む部分
【図１】
2006334387.tif 000003
【図２】
2006334387.tif 000004
【図３】
2006334387.tif 000005
【図４】
2006334387.tif 000006
【図５】
2006334387.tif 000007
【図６】
2006334387.tif 000008
【図７】
2006334387.tif 000009
【図８】
2006334387.tif 000010
【図９】
2006334387.tif 000011